(57)【要約】【課題】放送と通信の融合サービスにおける提示同期制御を良好に実現する。【解決手段】送信部は、変調波を送信する。この変調波は、伝送メディアとこの伝送メディアの提示単位毎の第１の時間軸による提示時刻情報を含む伝送ストリームおよびこの伝送ストリームに対応した伝送制御信号のそれぞれに対して個別に伝送路符号化処理を行った後に時分割多重と変調の処理を行って得られたものである。伝送ストリームには、第１の時間軸による時刻情報が挿入されている。時刻情報挿入部は、伝送制御信号に、第１の時間軸とは異なる第２の時間軸による時刻情報を挿入する。【選択図】図９
2020188497.tif 000002
【特許請求の範囲】
【請求項１】
伝送メディアと該伝送メディアの提示単位毎の第１の時間軸による提示時刻情報を含む伝送ストリームおよび該伝送ストリームに対応した伝送制御信号のそれぞれに対して個別に伝送路符号化処理を行った後に時分割多重と変調の処理を行って変調波を得、該変調波を送信する送信部を備え、
上記伝送ストリームには、上記第１の時間軸による時刻情報が挿入されており、
上記伝送制御信号に、上記第１の時間軸とは異なる第２の時間軸による時刻情報を挿入する時刻情報挿入部をさらに備える
送信装置。
【請求項２】
上記伝送ストリームはＭＰＥＧ２−ＴＳであり、
上記第１の時間軸による時刻情報はＳＴＣベースのＰＣＲであり、
上記第２の時間軸による時刻情報はＵＴＣベースのＮＴＰフォーマットの時刻情報である
請求項１に記載の送信装置。
【請求項３】
上記伝送制御信号はＴＭＣＣ情報であり、
上記時刻情報挿入部は、上記ＴＭＣＣ情報に、拡張情報として、上記第２の時間軸による時刻情報を挿入する
請求項１に記載の送信装置。
【請求項４】
上記伝送ストリームに、上記伝送制御信号に上記第２の時間軸による時刻情報が挿入されていることを示す識別情報を挿入する識別情報挿入部をさらに備える
請求項１に記載の送信装置。
【請求項５】
上記第２の時間軸による時刻情報がＵＴＣベースのＮＴＰフォーマットの時刻情報であるとき、上記識別情報には、上記ＮＴＰフォーマットがロングフォーマットであるかショートフォーマットであるかを示す情報が付加される
請求項４に記載の送信装置。
【請求項６】
上記識別情報には、上記第１の時間軸による時刻情報と上記第２の時間軸による時刻情報との伝送遅延差情報が付加される
請求項４に記載の送信装置。
【請求項７】
上記伝送ストリームはＭＰＥＧ２−ＴＳであり、
上記識別情報挿入部は、上記識別情報が記述された記述子をネットワーク・インフォメーション・テーブルに挿入する
請求項４に記載の送信装置。
【請求項８】
送信部により、伝送メディアと該伝送メディアの提示単位毎の第１の時間軸による提示時刻情報を含む伝送ストリームおよび該伝送ストリームに対応した伝送制御信号のそれぞれに対して個別に伝送路符号化処理を行った後に時分割多重と変調の処理を行って変調波を得、該変調波を送信する送信ステップを有し、
上記伝送ストリームには、上記第１の時間軸による時刻情報が挿入されており、
上記伝送制御信号に、上記第１の時間軸とは異なる第２の時間軸による時刻情報を挿入する時刻情報挿入ステップをさらに有する
送信方法。
【請求項９】
伝送メディアと該伝送メディアの提示単位毎の第１の時間軸による提示時刻情報を含む第１の伝送ストリームおよび該第１の伝送ストリームに対応した伝送制御信号のそれぞれに対して個別に伝送路符号化処理を行った後に時分割多重と変調の処理を行って得られた変調波を受信する第１の受信部を備え、
上記第１の伝送ストリームには上記第１の時間軸による時刻情報が挿入されており、
上記伝送制御信号には上記第１の時間軸とは異なる第２の時間軸による時刻情報が挿入されており、
上記変調波から上記第１の伝送ストリームおよび上記第２の時間軸による時刻情報を取得する取得部と、
伝送メディアと該伝送メディアの提示単位毎の上記第２の時間軸による提示時刻情報を含む第２の伝送ストリームを受信する第２の受信部と、
上記取得部で取得された上記第１の伝送ストリームに含まれる上記第１の時間軸による時刻情報に同期した時刻情報を発生する時刻情報発生部と、
上記取得部で取得された上記第１の伝送ストリームに含まれる伝送メディアの提示を、上記第１の伝送ストリームに含まれる提示時刻情報と、上記時刻情報発生部で発生される時刻情報に基づいて制御する第１の制御部と、
上記第２の受信部で受信された上記第２の伝送ストリームに含まれる伝送メディアの提示を、上記第２の伝送ストリームに含まれる提示時刻情報と、上記取得部で取得された上記第２の時間軸による時刻情報と、上記時刻情報発生部で発生される時刻情報に基づいて制御する第２の制御部をさらに備える
受信装置。
【請求項１０】
上記第２の制御部は、
上記取得部で取得された上記第２の時間軸による時刻情報と該時刻情報の受信時における上記時刻情報発生部で発生される時刻情報との対応関係と、上記第１の時間軸による時刻情報と上記第２の時間軸による時刻情報との伝送遅延差情報を用いて、上記第２の伝送ストリームに含まれる提示時刻情報を上記第１の時間軸による提示時刻情報に変換し、該変換された提示時刻情報と、上記時刻情報発生部で発生される時刻情報に基づいて、上記第２の伝送ストリームに含まれる伝送メディアの提示を制御する
請求項９に記載の受信装置。
【請求項１１】
上記伝送遅延差情報は、送信側の伝送遅延差情報と受信側の伝送遅延差情報とからなり、
上記第１の伝送ストリームには、上記送信側の伝送遅延差情報が含まれている
請求項１０に記載の受信装置。
【請求項１２】
上記第２の制御部は、
上記対応関係として、最新の２つの対応関係を用いる
請求項１０に記載の受信装置。
【請求項１３】
上記第１の時間軸はＳＴＣベースの時間軸であり、上記第２の時間軸はＵＴＣベースの時間軸である
請求項９に記載の受信装置。
【請求項１４】
上記第１の伝送ストリームはＭＰＥＧ２−ＴＳであり、
上記伝送制御信号はＴＭＣＣ情報であり、
上記ＴＭＣＣ情報に、拡張情報として、上記第２の時間軸による時刻情報が挿入されている
請求項９に記載の受信装置。
【請求項１５】
第１の受信部により、伝送メディアと該伝送メディアの提示単位毎の第１の時間軸による提示時刻情報を含む第１の伝送ストリームおよび該第１の伝送ストリームに対応した伝送制御信号のそれぞれに対して個別に伝送路符号化処理を行った後に時分割多重と変調の処理を行って得られた変調波を受信する第１の受信ステップを有し、
上記第１の伝送ストリームには上記第１の時間軸による時刻情報が挿入されており、
上記伝送制御信号には上記第１の時間軸とは異なる第２の時間軸による時刻情報が挿入されており、
上記変調波から上記第１の伝送ストリームおよび上記第２の時間軸による時刻情報を取得する取得ステップと、
第２の受信部により、伝送メディアと該伝送メディアの提示単位毎の上記第２の時間軸による提示時刻情報を含む第２の伝送ストリームを受信する第２の受信ステップと、
上記取得ステップで取得された上記第１の伝送ストリームに含まれる上記第１の時間軸による時刻情報に同期した時刻情報を発生する時刻情報発生ステップと、
上記取得ステップで取得された上記第１の伝送ストリームに含まれる伝送メディアの提示を、上記第１の伝送ストリームに含まれる提示時刻情報と、上記時刻情報発生ステップで発生される時刻情報に基づいて制御する第１の制御ステップと、
上記第２の受信ステップで受信された上記第２の伝送ストリームに含まれる伝送メディアの提示を、上記第２の伝送ストリームに含まれる提示時刻情報と、上記取得ステップで取得された上記第２の時間軸による時刻情報と、上記時刻情報発生ステップで発生される時刻情報に基づいて制御する第２の制御ステップをさらに有する
受信方法。
【発明の詳細な説明】
【技術分野】
【０００１】
本技術は、送信装置、送信方法、受信装置および受信方法に関し、詳しくは、ビデオ、オーディオなどの伝送メディアを含む伝送ストリームを送信する送信装置等に関する。
【背景技術】
【０００２】
次世代の放送方式において不可欠なサービス要件として、放送と通信の融合サービスが挙げられる。放送と通信の融合サービスも様々な形態が想定されるが、１つの放送番組を構成する画像・音声等の基本信号が一部放送、一部通信で伝送されるケースがその１形態として考えられている。
【０００３】
現在の放送システムでは、伝送メディアのトランスポート方式として、ＭＰＥＧ２−ＴＳ(Moving Picture Experts Group-2 Transport Stream）方式が広く用いられている（例えば、特許文献１を参照）。また、通信による伝送メディアの配信システムとして、ＭＰＥＧ−ＤＡＳＨ（Moving Picture Experts Group-Dynamic Adaptive Streaming over HTTP）が知られている（例えば、非特許文献１を参照）。
【先行技術文献】
【特許文献】
【０００４】
【特許文献１】特開２０１３−１５３２９１号公報
【非特許文献】
【０００５】
【非特許文献１】「既存のWebサーバで途切れない動画配信を実現」、平林光浩、NIKKEI ELECTRONICS 2012.3.19
【発明の概要】
【発明が解決しようとする課題】
【０００６】
上述の放送と通信の融合サービスを実現する上で技術的な課題となるのは、異なる経路で伝送する映像・音声の同期提示である。提示同期制御を実現する上で、ベースとなる時間軸（タイムライン）を共有することが要求される。
【０００７】
一般に、放送ではＳＴＣ（System Time Clock）と呼ばれる各送信システムで独立する２７ＭＨｚのカウンタ値が時間軸として使用され、通信ではＵＴＣ（Universal Time, Coordinated）と呼ばれる絶対時刻（データフォーマットとしてNTP形式）が時間軸として使用される。
【０００８】
本技術の目的は、放送と通信の融合サービスにおける提示同期制御を良好に実現可能とすることにある。
【課題を解決するための手段】
【０００９】
本技術の概念は、
伝送メディアと該伝送メディアの提示単位毎の第１の時間軸による提示時刻情報を含む伝送ストリームおよび該伝送ストリームに対応した伝送制御信号のそれぞれに対して個別に伝送路符号化処理を行った後に時分割多重と変調の処理を行って変調波を得、該変調波を送信する送信部を備え、
上記伝送ストリームには、上記第１の時間軸による時刻情報が挿入されており、
上記伝送制御信号に、上記第１の時間軸とは異なる第２の時間軸による時刻情報を挿入する時刻情報挿入部をさらに備える
送信装置にある。
【００１０】
本技術において、送信部により、変調波の送信が行われる。この変調波は、伝送メディアとこの伝送メディアの提示単位毎の第１の時間軸による提示時刻情報を含む伝送ストリームおよびこの伝送ストリームに対応した伝送制御信号のそれぞれに対して個別に伝送路符号化処理を行った後に時分割多重と変調の処理を行うことで得られたものである。伝送ストリームには、第１の時間軸による時刻情報が挿入されている。そして、時刻情報挿入部により、伝送制御信号に、第１の時間軸とは異なる第２の時間軸による時刻情報が挿入される。
【００１１】
例えば、伝送ストリームはＭＰＥＧ２−ＴＳであり、第１の時間軸による時刻情報はＳＴＣベースのＰＣＲであり、第２の時間軸による時刻情報はＵＴＣベースのＮＴＰフォーマットの時刻情報である、ようにされてもよい。また、例えば、伝送制御信号はＴＭＣＣ情報であり、時刻情報挿入部は、ＴＭＣＣ情報に、拡張情報として、第２の時間軸による時刻情報を挿入する、ようにされてもよい。
【００１２】
このように本技術においては、伝送ストリームに第１の時間軸による時刻情報が挿入される他に、伝送制御信号に第２の時間軸による時刻情報が挿入されるものである。そのため、受信側では、放送と通信の融合サービスにおける提示同期制御を良好に実現できる。
【００１３】
なお、本技術において、例えば、伝送ストリームに、伝送制御信号に第２の時間軸による時刻情報が挿入されていることを示す識別情報を挿入する識別情報挿入部をさらに備える、ようにされてもよい。この場合、例えば、伝送ストリームはＭＰＥＧ２−ＴＳであり、識別情報挿入部は、識別情報が記述された記述子をネットワーク・インフォメーション・テーブルに挿入する、ようにされてもよい。このように識別情報が挿入されることで、受信側では、伝送制御信号に第２の時間軸による時刻情報が挿入されていることを容易に識別可能となる。
【００１４】
この場合、例えば、第２の時間軸による時刻情報がＵＴＣベースのＮＴＰフォーマットの時刻情報であるとき、識別情報には、ＮＴＰフォーマットがロングフォーマットであるかショートフォーマットであるかを示す情報が付加される、ようにされてもよい。これにより、受信側では、ＮＴＰフォーマットがロングフォーマットであるかショートフォーマットであるかを容易に認識できる。
【００１５】
また、この場合、識別情報には、第１の時間軸による時刻情報と第２の時間軸による時刻情報との伝送遅延差情報が付加される、ようにされてもよい。これにより、受信側では、第２の時間軸による提示時刻情報を第１の時間軸による提示時刻情報に変換するために必要な送信側における伝送遅延差情報を得ること可能となる。
【００１６】
また、本技術の他の概念は、
伝送メディアと該伝送メディアの提示単位毎の第１の時間軸による提示時刻情報を含む第１の伝送ストリームおよび該第１の伝送ストリームに対応した伝送制御信号のそれぞれに対して個別に伝送路符号化処理を行った後に時分割多重と変調の処理を行って得られた変調波を受信する第１の受信部を備え、
上記第１の伝送ストリームには上記第１の時間軸による時刻情報が挿入されており、
上記伝送制御信号には上記第１の時間軸とは異なる第２の時間軸による時刻情報が挿入されており、
上記変調波から上記第１の伝送ストリームおよび上記第２の時間軸による時刻情報を取得する取得部と、
伝送メディアと該伝送メディアの提示単位毎の上記第２の時間軸による提示時刻情報を含む第２の伝送ストリームを受信する第２の受信部と、
上記取得部で取得された上記第１の伝送ストリームに含まれる上記第１の時間軸による時刻情報に同期した時刻情報を発生する時刻情報発生部と、
上記取得部で取得された上記第１の伝送ストリームに含まれる伝送メディアの提示を、上記第１の伝送ストリームに含まれる提示時刻情報と、上記時刻情報発生部で発生される時刻情報に基づいて制御する第１の制御部と、
上記第２の受信部で受信された上記第２の伝送ストリームに含まれる伝送メディアの提示を、上記第２の伝送ストリームに含まれる提示時刻情報と、上記取得部で取得された上記第２の時間軸による時刻情報と、上記時刻情報発生部で発生される時刻情報に基づいて制御する第２の制御部をさらに備える
受信装置にある。
【００１７】
本技術において、第１の受信部により、変調波が受信される。この変調波は、伝送メディアとこの伝送メディアの提示単位毎の第１の時間軸による提示時刻情報を含む第１の伝送ストリームおよびこの第１の伝送ストリームに対応した伝送制御信号のそれぞれに対して個別に伝送路符号化処理を行った後に時分割多重と変調の処理を行って得られたものである。ここで、第１の伝送ストリームには、第１の時間軸による時刻情報が挿入されており、伝送制御信号には第１の時間軸とは異なる第２の時間軸による時刻情報が挿入されている。
【００１８】
取得部により、変調波から第１の伝送ストリームおよび第２の時間軸による時刻情報が取得される。第２の受信部により、伝送メディアと、この伝送メディアの提示単位毎の第２の時間軸による提示時刻情報を含む第２の伝送ストリームが受信される。また、時刻情報発生部により、取得部で取得された第１の伝送ストリームに含まれる第１の時間軸による時刻情報に同期した時刻情報が発生される。
【００１９】
そして、第１の制御部により、取得部で取得された第１の伝送ストリームに含まれる伝送メディアの提示が、第１の伝送ストリームに含まれる提示時刻情報と、時刻情報発生部で発生される時刻情報に基づいて制御される。また、第２の制御部により、第２の受信部で受信された第２の伝送ストリームに含まれる伝送メディアの提示が、この第２の伝送ストリームに含まれる提示時刻情報と、取得部で取得された第２の時間軸による時刻情報と、時刻情報発生部で発生される時刻情報に基づいて制御される。
【００２０】
例えば、第１の時間軸はＳＴＣベースの時間軸であり、第２の時間軸はＵＴＣベースの時間軸である、ようにされてもよい。また、例えば、第１の伝送ストリームはＭＰＥＧ２−ＴＳであり、伝送制御信号はＴＭＣＣ情報であり、ＴＭＣＣ情報に、拡張情報として、第２の時間軸による時刻情報が挿入されている、ようにされてもよい。
【００２１】
また、例えば、第２の制御部は、取得部で取得された第２の時間軸による時刻情報とこの時刻情報の受信時における時刻情報発生部で発生される時刻情報との対応関係と、第１の時間軸による時刻情報と第２の時間軸による時刻情報との伝送遅延差情報を用いて、第２の伝送ストリームに含まれる提示時刻情報を第１の時間軸による提示時刻情報に変換し、この変換された提示時刻情報と、時刻情報発生部で発生される時刻情報に基づいて、第２の伝送ストリームに含まれる伝送メディアの提示を制御する、ようにされてもよい。
【００２２】
この場合、例えば、伝送遅延差情報は、送信側の伝送遅延差情報と受信側の伝送遅延差情報とからなり、第１の伝送ストリームには、送信側の伝送遅延差情報が含まれている、ようにされてもよい。また、この場合、第２の制御部は、対応関係として、最新の２つの対応関係を用いる、ようにされてもよい。
【００２３】
このように本技術においては、第１の伝送ストリームに含まれる伝送メディアの提示が、第１の時間軸による提示時刻情報と、時刻情報発生部で発生される第１の時間軸による時刻情報に基づいて制御されると共に、第２の伝送ストリームに含まれる伝送メディアの提示が、第２の時間軸による提示時刻情報と、取得部で取得された第２の時間軸による時刻情報と、時刻情報発生部で発生される第１の時間軸による時刻情報に基づいて制御されるものである。そのため、放送と通信の融合サービスにおける提示同期制御を良好に実現できる。
【発明の効果】
【００２４】
本技術によれば、放送と通信の融合サービスにおける提示同期制御を良好に実現できる。なお、本明細書に記載された効果はあくまで例示であって限定されるものではなく、また付加的な効果があってもよい。
【図面の簡単な説明】
【００２５】
【図１】実施の形態としての放送・通信ハイブリッドシステムの構成例を示すブロック図である。
【図２】放送・通信ハイブリッドシステムにおけるそれぞれの系を概略的に示す図である。
【図３】放送信号の構成を示すシステム・パイプ・モデルである。
【図４】デジタル放送に関するＴＭＣＣ情報の構成例を示す図である。
【図５】ＴＭＣＣ情報の拡張情報（時刻情報）の構成例を示す図である。
【図６】ＮＴＰサーバが提供する時刻情報のロングフォーマットとショートフォーマットを示す図である。
【図７】時刻情報参照記述子の構成例を示す図である。
【図８】ＰＣＲ/ＮＴＰの伝送遅延モデルを示す図である。
【図９】放送・通信ハイブリッドシステムを構成する放送送出システムの構成例を示すブロック図である。
【図１０】放送・通信ハイブリッドシステムを構成する受信機の構成例を示すブロック図である。
【図１１】送信側・受信側のタイムラインとターゲットタイム換算を説明するための図である。
【発明を実施するための形態】
【００２６】
以下、発明を実施するための形態（以下、「実施の形態」とする）について説明する。なお、説明を以下の順序で行う。
１．実施の形態
２．変形例
【００２７】
＜１．実施の形態＞
［放送・通信ハイブリッドシステムの構成例］
図１は、放送・通信ハイブリッドシステム１０の構成例を示している。放送・通信ハイブリッドシステム１０において、送信側には放送送出システム１１０および配信サーバ１２０が配置され、受信側には受信機２００が配置されている。
【００２８】
放送送出システム１１０は、ビデオ、オーディオなどの伝送メディア（コンポーネント）を含む伝送ストリームとしてのトランスポートストリームＴＳと、このトランスポートストリームＴＳに対応した伝送制御情報としてのＴＭＣＣ（Transmission and Multiplexing Configuration Control）情報のそれぞれに対して個別に伝送路符号化処理を行った後に時分割多重と変調の処理を行って得られた変調波からなる放送信号を送出する。
【００２９】
トランスポートストリームＴＳには、伝送メディアの提示単位毎の提示時刻情報（ＰＴＳ：Presentation Time Stamp）が含まれている。この提示時刻情報は、ＳＴＣ（System Time Clock）をベースとするものである。また、このトランスポートストリームＴＳには、ＳＴＣベースのＰＣＲ（Program Clock Reference）が挿入されている。この実施の形態において、ＴＭＣＣ情報には、ＵＴＣ（Universal Time, Coordinated）ベースのＮＴＰ（Network Time Protocol）フォーマットの時刻情報が挿入される。
【００３０】
また、トランスポートストリームＴＳには、ＴＭＣＣ情報にＮＴＰフォーマットの時刻情報が挿入されていることを示す識別情報が挿入される。この実施の形態においては、ネットワーク・インフォメーション・テーブル（ＮＩＴ：Network Information Table）の配下に、この識別情報が記述された時刻情報参照記述子（time_reference_descriptor）が挿入される。ネットワーク・インフォメーション・テーブルには、チャンネル番号や変調方式、ガードインターバルなど、送信するネットワークに関する情報が含まれる。この時刻情報参照記述子の詳細については、後述する。
【００３１】
配信サーバ１２０は、ビデオ、オーディオなどの伝送メディア（コンポーネント）を含む伝送ストリームを、例えば、受信側からの要求に応じ、通信ネットワーク３００を通じて、受信側に配信する。この伝送ストリームには、伝送メディアの提示単位毎の提示時刻情報が含まれている。この提示時刻情報は、ＵＴＣをベースとするものである。この実施の形態において、通信による伝送メディアの配信システムはＭＰＥＧ−ＤＡＳＨであり、配信サーバ１２０はＤＡＳＨストリーミングサーバ（ＤＡＳＨ  ＭＰＤサーバも兼ねる）であるとする。
【００３２】
受信機２００は、放送送出システム１１０から送られてくる放送信号を受信すると共に、配信サーバ１２０から配信される伝送ストリームを受信する。受信機２００は、トランスポートストリームＴＳに含まれているＰＣＲに同期した時刻情報（ＳＴＣ）を発生する。そして、受信機２００は、この時刻情報（ＳＴＣ）に基づいて、トランスポートストリームＴＳに含まれている伝送メディアの提示を制御すると共に、配信サーバ１２０から配信される伝送ストリームに含まれている伝送メディアの提示を制御する。
【００３３】
受信機２００は、配信サーバ１２０から配信される伝送ストリームに含まれている伝送メディアの提示を制御する際、ＴＭＣＣ情報に挿入されているＵＴＣベースのＮＴＰフォーマットの時刻情報を利用する。すなわち、受信機２００は、このＮＴＰフォーマットの時刻情報の受信時における上述の時刻情報（ＳＴＣ）との対応関係から、配信サーバ１２０から配信される伝送ストリームに含まれている提示時刻情報をＵＴＣベースからＳＴＣベースに変換して利用する。
【００３４】
図２は、図１に示す放送・通信ハイブリッドシステム１０におけるそれぞれの系を概略的に示している。番組素材から放送系にメインの画像、音声のデータが入力される。これらの画像、音声のデータにエンコード処理が施されて得られたトランスポートストリームＴＳが、放送送出システム１１０から放送伝送路を通じて受信機２００に送られる。ここで、エンコード処理時に、ＳＴＣ（System Time Clock）に基づいて、ビデオ、オーディオのＰＥＳパケットに提示時刻情報（ＰＴＳ）が挿入される。また、トランスポートストリームＴＳに、ＳＴＣ（System Time Clock）に基づいて、ＰＣＲが挿入される。
【００３５】
番組素材から通信系にサブの画像、音声のデータが入力される。これらの画像、音声のデータにエンコード処理が施されて得られた伝送ストリームが、配信サーバ１２０から通信伝送路を通じて受信機２００に送られる。ここで、エンコード処理時に、ＵＴＣ（Universal Time, Coordinated）に基づいて、画像、音声の提示単位毎に提示時刻情報が挿入される。
【００３６】
この実施の形態では、上述したように、放送系においてＴＭＣＣ情報にＵＴＣベースのＮＴＰフォーマットの時刻情報が挿入され、受信機２００でこの時刻情報が用いられて通信系で配信された伝送ストリームに含まれる画像、音声の提示が制御される。したがって、放送系と通信系における提示時刻情報の時間軸が異なっていても、放送と通信の融合サービスにおける提示同期が可能となる。
【００３７】
図３は、放送信号の構成を示すシステム・パイプ・モデル（System Pipe Model）である。１つのＲＦチャネルの中で一つまたは複数のトランスポートストリームが伝送される。各々のトランスポートストリームは、“ＴＳ−ｉｄ”で識別される。また、一つのトランスポートストリームに、一つまたは複数のサービスが存在する。各々のサービスは、“Ｓｅｒｖｉｃｅ＿ｉｄ”で識別される。このサービスが、いわゆるチャネルに当たる。
【００３８】
一つのサービスの中に、伝送メディア（コンポーネント）として、ビデオ（Video）、オーディオ（Audio）、クローズドキャプション（Closed Caption）などが含まれる。つまり、各サービスは、ビデオ、オーディオ、クローズドキャプションなどの各コンポーネントから構成される。
【００３９】
また、一つのトランスポートストリームに、ＰＳＩ（Program Specific Information）/ＳＩ（Service Information）といわれる制御信号が存在する。さらに、一つのトランスポートストリームに、ＳＴＣ（System Time Clock）ベースのＰＣＲ（Program Clock Reference）が存在する。
【００４０】
また、１つのＲＦチャネルの中で、上述した一つまたは複数のトランスポートストリームと並列して、伝送制御信号であるＴＭＣＣ情報が伝送される。この実施の形態においては、上述したように、このＴＭＣＣ情報に、ＵＴＣ（Universal Time, Coordinated）ベースのＮＴＰ（Network Time Protocol）フォーマットの時刻情報が存在する。このＴＭＣＣ情報は、物理レイヤの制御信号である。
【００４１】
図４は、デジタル放送に関するＴＭＣＣ情報の構成例を示している。「変更指示」のフィールドは、ＴＭＣＣ情報の内容に変更が生じるごとに１ずつ加算され、その値が‘11111111’となった場合は、‘00000000’に戻る。「伝送モード／スロット情報」のフィールドは、伝送主信号の変調方式、誤り訂正内符号化の符号化率、衛星出力バックオフおよび割当てスロット数を示す。
【００４２】
「ストリーム種別／相対ストリーム情報」のフィールドは、相対ストリーム番号とストリームの種別の対応関係を示す。「パケット形式／相対ストリーム情報」のフィールドは、相対ストリーム番号とパケットの形式の対応関係を示す。「ポインタ／スロット情報」のフィールドは、スロットに格納される最初のパケットの先頭の位置と最後のパケットの末尾の位置を示す。
【００４３】
「相対ストリーム／スロット情報」のフィールドは、スロットと相対ストリーム番号の対応関係を示す。「相対ストリーム／伝送ストリームＩＤ対応表」のフィールドは、相対ストリーム番号とトランスポートストリーム識別子との対応関係を示す。「送受信制御情報」のフィールドは、緊急警報放送における受信機の起動制御のための信号およびアップリンク制御情報を伝送する。
【００４４】
ＴＭＣＣ情報の最後に「拡張情報」の３６１４ビットのフィールドが存在する。この実施の形態においては、この「拡張情報」のフィールドの先頭の８０ビットが使用されて、ＵＴＣベースのＮＴＰフォーマットの時刻情報が挿入される。図５は、拡張情報（時刻情報）の構成例を示している。「拡張識別子」の１６ビットフィールドは、例えば、「０ｘ０００１」とされ、拡張情報が時刻情報であることを示す。「拡張情報」の６４ビットフィールドには、ＵＴＣベースのＮＴＰフォーマットの時刻情報が挿入される。ここでは、ＮＴＰフォーマットは、６４ビットのロングフォーマットとされる。
【００４５】
ここで、ＮＴＰ（Network Time Protocol）について説明する。ＮＴＰは、ＩＴＵ（International Telecommunication Union）でインターネットの標準として規定されているプロトコルである。パーソナルコンピュータ、スマートフォンなどのクライアントからＮＴＰプロトコルによりＮＴＰサーバにアクセスすることで、時刻情報を得ることができる。ＮＴＰサーバが提供する時刻情報は、１９００年１月１日からの積算秒数（ＵＴＣ：Coordinated Universal Time）で表現されている。
【００４６】
図６（ａ）は、ＮＴＰサーバが提供する時刻情報のロングフォーマット（NTP time stamp long format）を示している。この時刻情報は、６４ビットフォーマットであり、上位３２ビットはＵＴＣの積算秒数を示し、下位３２ビットは秒未満を示している。また、図６（ｂ）は、ＮＴＰサーバが提供する時刻情報のショートフォーマット（NTP time stamp short format）を示している。この時刻情報は、３２ビットフォーマットであり、上位１６ビットはＵＴＣの積算秒数を示し、下位１６ビットは秒未満を示している。
【００４７】
図７は、時刻情報参照記述子（time_reference_descriptor）の構成例を示している。「descriptor_tag」の８ビットフィールドは、記述子タイプを示す。ここでは、時刻情報参照記述子であることを示す。「descriptor_length」の８ビットフィールドは、デスクリプタの長さ（サイズ）を示し、デスクリプタの長さとして、以降のバイト数を示す。
【００４８】
「time_reference_mode」の２ビットフィールドは、時刻情報の伝送モードを示す。“０”は、ＰＣＲのみが伝送されることを示す。“１”は、ＰＣＲを伝送する他に、ＭＰＥＧで規格策定中のＴＳタイムライン拡張方式で、ＮＴＰフォーマットの時刻情報がＰＥＳで伝送されることを示す。なお、この伝送モードは、従来からの放送システムに影響が大きく、また、伝送するための帯域が必要となる。“２”は、ＰＣＲを伝送する他に、ＴＭＣＣ情報でＮＴＰフォーマットの時刻情報が伝送されることを示す。
【００４９】
「time_reference_format」の２ビットフィールドは、ＰＣＲの他に伝送されるＮＴＰフォーマットの時刻情報がロングフォーマット（図６（ａ）参照）であるかショートフォーマット（図６（ｂ）参照）であるかを示す。“０”は、ショートフォーマットであることを示す。“１”は、ロングフォーマットであることを示す。
【００５０】
「delay_adjustment」の３２ビットフィールドは、システムレイヤのＰＣＲと物理レイヤのＮＴＰフォーマットの時刻情報との伝送遅延差ΔＴ１を示す。この伝送遅延差ΔＴ１は、１/９００００秒単位とされる。ＰＣＲとＮＴＰフォーマットの時刻情報の伝送遅延差は、送信側、受信側のいずれにおいても発生する。伝送遅延差ΔＴ１は、送信側における伝送遅延差である。
【００５１】
後述するように、受信側において、ＵＴＣベースの提示時刻情報をＳＴＣベースの提示時刻情報に変換する際、送信側、受信側の双方の伝送遅延差が必要となる。送信側の伝送遅延差ΔＴ１は、上述したように時刻情報参照記述子の「delay_adjustment」の３２ビットフィールドに指定される。また、受信側の伝送遅延差ΔＴ２に関しては、受信側で計算時に固定値が設定される。
【００５２】
図８は、ＰＣＲ/ＮＴＰの伝送遅延モデルを示している。送信側では、ＳＴＣベースのＰＣＲと、ＵＴＣベースのＮＴＰフォーマットの時刻情報があるタイミングにおいて同時に抜き出されたとき、トランスポートストリームＴＳに対する伝送路符号化の処理遅延Ｔtssと、ＴＭＣＣ情報に対する伝送路符号化の処理遅延Ｔtmccsの差だけ、ＰＣＲとＮＴＰフォーマットの時刻情報との間に伝送遅延差ΔＴ１が発生する。つまり、ΔＴ１＝（Ｔtss−Ｔtmccs）である。
【００５３】
伝送路符号化されたトランスポートストリームＴＳと伝送路符号化されたＴＭＣＣ情報とは多重化および変調の処理がされた後に、放送伝送路を通じて、受信側に送られる。この放送伝送路で、ＰＣＲとＮＴＰフォーマットの時刻情報は共通に伝送路遅延Ｔbtrだけ遅延する。つまり、この放送伝送路では、ＰＣＲとＮＴＰフォーマットの時刻情報の遅延差はゼロである。
【００５４】
受信側では、トランスポートストリームＴＳに対する伝送路復号化の処理遅延Ｔtsrと、ＴＭＣＣ情報に対する伝送復号化の処理遅延Ｔtmccrの差だけ、ＰＣＲとＮＴＰフォーマットの時刻情報との間に伝送遅延差ΔＴ２が発生する。つまり、ΔＴ２＝（Ｔtsr−Ｔtmccr）である。したがって、ＰＣＲとＮＴＰフォーマットの時刻情報との間のトータルの伝送遅延差ΔＴは、ΔＴ＝ΔＴ１＋ΔＴ２となる。
【００５５】
［放送送出システムの構成例］
図９は、放送送出システム１１０の構成例を示している。この放送送出システム１１０は、２７ＭＨｚのクロック（システムクロック）を生成する電圧制御発振器１２１と、１/１７１６分周をする分周器１２２と、比較器１２３と、ＳＴＣベースの時計部を構成する９ビットカウンタ１２４ａおよび３３ビットカウンタ１２４ｂと、パケット化部１２５を有している。また、放送送出システム１１０は、ビデオ/オーディオエンコード処理部１２６と、パケット化/タイムスタンプ付加部１２７と、エンコーダバッファ１２８と、マルチプレクサ１２９を有している。
【００５６】
また、放送送出システム１１０は、時刻信号インタフェース１３１と、３２ビットレジスタ１３２ａ，１３２ｂを有している。また、この放送送出システム１１０は、２**２４Ｈｚのクロック（システムクロック）を生成する電圧制御発振器１３３と、ＵＴＣベースの時計部を構成する２４ビットカウンタ１３４ａおよび３２ビットカウンタ１３４ｂと、比較器１３５を有している。また、放送送出システム１１０は、伝送路符号化装置１４１を有している。この伝送路符号化装置１４１には、トランスポートストリームＴＳの伝送路符号化を行う主信号系処理部１４１ａと、ＴＭＣＣ情報の伝送路符号化を行う制御信号系処理部１４１ｂと、時分割多重/直交変調処理部１４１ｃが含まれている。
【００５７】
電圧制御発振器１２１で生成される２７ＭＨｚのクロックは分周器１２２で１/１７１６分周され、この分周器１２２からは１水平期間の時間長でパルスが出力される。この分周器１２２の出力パルスは比較器１２３に供給され、リファレンス水平同期信号（Ref. Hsync）の位相と比較される。この比較器１２３から出力される比較誤差信号は、電圧制御発振器１２１に制御信号として供給される。電圧制御発振器１２１、分周器１２２および比較器１２３はＰＬＬ（Phase Locked Loop）回路を構成し、電圧制御発振器１２１では、リファレンス水平同期信号に同期した２７ＭＨｚのクロックが生成される。
【００５８】
この電圧制御発振器１２１から出力される２７ＭＨｚのクロックは、９ビットカウンタ１２４ａでカウントされ、３００分周される。そして、この９ビットカウンタ１２４ａで得られる９０ＫＨｚのクロックは、３３ビットカウンタ１２４ｂでカウントされる。これら９ビットカウンタ１２４ａおよび３３ビットカウンタ１２４ｂの（３３＋９）ビットのビット出力は、ＳＴＣベースの時刻情報となる。
【００５９】
このＳＴＣベースの時刻情報は、パケット化部１２５に供給される。パケット化部１２５では、このＳＴＣベースの時刻情報に基づいたプログラム・クロック・リファレンス（ＰＣＲ：Program Clock Reference）を含むアダプテーションフィールドを持つＴＳパケットが生成される。このＴＳパケットは、所定の間隔で生成され、順次マルチプレクサ１２９に供給される。なお、ＰＣＲは、ＴＳストリーム中に１００ｍｓ間隔で出現することが推奨されている。
【００６０】
ビデオ/オーディオエンコード処理部１２６では、電圧制御発振器１２１で得られる２７ＭＨｚのクロックに同期して、ビデオ、オーディオが符号化される。パケット化/タイムスタンプ付加部１２７では、符号化後のビデオ、オーディオのエレメンタリストリームからアクセスユニット毎にＰＥＳパケットが生成され、さらにペイロードに符号化ビデオ、符号化オーディオを含むＴＳパケットが生成される。このＴＳパケットは、エンコーダバッファ１２８を通じてマルチプレクサ１２９に供給される。
【００６１】
また、このパケット化/タイムスタンプ付加部１２７には、３３ビットカウンタ１２４ｂから出力される３３ビットのビット出力が供給される。この３３ビットのビット出力は、９０ｋＨｚの精度の時刻情報である。パケット化/タイムスタンプ付加部１２７では、この３３ビットのビット出力に基づいて、プレゼンテーション・タイム・スタンプ（ＰＴＳ：Presentation Time Stamp）が各ＰＥＳパケットのヘッダに挿入される。
【００６２】
マルチプレクサ１２９には、上述したように、ＰＣＲを含むＴＳパケットと、符号化ビデオ、符号化オーディオを含むＴＳパケットが供給される。マルチプレクサ１２９では、各ＴＳパケットが多重化されて、トランスポートストリームＴＳが生成される。このトランスポートストリームＴＳには、ＰＳＩ/ＳＩの制御信号も含まれる。マルチプレクサ１２９では、ＮＩＴ（Network Information Table）の配下に、上述した時刻情報参照記述子（time_reference_descriptor）（図７参照）が挿入される。
【００６３】
また、時刻信号インタフェース１３１により、例えば、インターネット経由で図示しないＮＴＰサーバに所定の時間間隔でアクセスされ、６４ビットフォーマットの時刻情報（図６（ａ）参照）が取得される。３２ビットレジスタ１３２ａ，１３２ｂでは、時刻信号インタフェース１３１で取得される６４ビットフォーマットの時刻情報が保持される。３２ビットレジスタ１３２ａには上位３２ビットのビットデータが保持され、３２ビットレジスタ１３２ｂには下位３２ビットのビットデータが保持される。３２ビットレジスタ１３２ａ，１３２ｂの保持内容は、時刻信号インタフェース１３１で６４ビットフォーマットの時刻情報を取得する毎に更新される。
【００６４】
時刻情報を取得する頻度が十分高い場合にはこのままの構成でよいが、低い場合にはレジスタ１３２ａ，１３２ｂはＮＴＰサーバの時計を再現するように自動的に時刻を示すカウンタとして継続動作することも考えられる。ここで、取得した時刻情報の下位３２ビットを示すレジスタ１３２ｂの出力がオール０となった時点で、時刻情報の上位３２ビットを示すレジスタ１３２ａの出力は３２ビットカウンタ１３４ｂの初期値として設定され、かつ２４ビットカウンタ１３４ａは０に設定される。この設定動作は放送送出システム１１０が動作を開始する1回のみに限定される。
【００６５】
電圧制御発振器１３３では、２**２４Ｈｚのクロックが発生される。２４ビットカウンタ１３４ａでは、電圧制御発振器１３３から出力される２**２４Ｈｚのクロックがカウントされる。３２ビットカウンタ１３４ｂでは、２４ビットカウンタ１３４ａの桁上げ出力である１Ｈｚのクロックがカウントされて、秒精度の時刻情報（Regenerated UTC）である３２ビットのビット出力が得られる。２４ビットカウンタ１３４ａおよび３２ビットカウンタ１３４ｂの５６ビットのビット出力は、初期値からの上記カウンタ動作により、ＵＴＣベースの時刻情報となる。
【００６６】
マルチプレクサ１２９で生成されるトランスポートストリームＴＳは、伝送路符号化装置１４１の主信号系処理部１４１ａに供給される。この主信号系処理部１４１ｂでは、トランスポートストリームＴＳに対して、外符号符号化、電力拡散、内符号符号化、マッピング等の伝送路符号化処理が施される。
【００６７】
また、２４ビットカウンタ１３４ａおよび３２ビットカウンタ１３４ｂの５６ビットのビット出力は、ＵＴＣベースのＮＴＰフォーマットの時刻情報として、伝送路符号化装置１４１の制御信号系処理部１４１ｂに供給される。また、この制御信号系処理部１４１ｂには、トランスポートストリームＴＳを伝送する際の伝送パラメータＴＭＣＣが供給される。
【００６８】
この制御信号系処理部１４１ｂでは、伝送パラメータＴＭＣＣをもとにＴＭＣＣ情報が生成される。この際、ＴＭＣＣ情報の拡張情報のフィールドに、ＮＴＰロングフォーマットの時刻情報が挿入される（図５参照）。なお、上述したように２４ビットカウンタ１３４ａおよび３２ビットカウンタ１３４ｂのビット出力は５６ビットであるので、下位８ビットはオール「０」とされる。また、この主信号系処理部１４１ｂでは、生成されたＴＭＣＣ情報に対して、外符号符号化、電力拡散、内符号符号化、マッピング等の伝送路符号化処理が施される。
【００６９】
また、伝送路符号化装置１４１の時分割多重/直交変調処理部１４１ｃでは、主信号系処理部１４１ａおよび制御信号系処理部１４１ｂの出力に対して、時分割多重と直交変調の処理が施され、中間周波の変調波が得られる。
【００７０】
［受信機の構成例］
図１０は、受信機２００の構成例を示している。この受信機２００は、放送伝送路復号部２１０と、デマルチプレクサ２１１と、２７ＭＨｚのクロック（システムクロック）を生成する電圧制御発振器２１２と、ＳＴＣベースの時計部（時刻情報発生部）を構成する９ビットカウンタ２１３ａおよび３３ビットカウント２１３ｂと、比較器２１４を有している。
【００７１】
また、受信機２００は、デコーダバッファ２１５と、放送提示制御部２１６と、放送ＡＶデコーダ２１７を有している。また、受信機２００は、ＵＴＣ/ＳＴＣマッピング情報生成部２２０と、通信インタフェース２３１と、ＭＰＤ解析部２３２と、デコーダバッファ２３３と、通信提示制御部２３４と、通信ＡＶデコーダ２３５と、合成部２４１を有している。
【００７２】
放送伝送路復号部２１０では、受信された放送信号（変調波）に対して伝送路復号化等の処理などが施され、トランスポートストリームＴＳが得られる。また、放送伝送路復号部２１０では、トランスポートストリームＴＳのＮＩＴ（Network Information Table）に配置されている時刻情報参照記述子（time_reference_descriptor）に基づき、ＴＭＣＣ情報に挿入されているＮＴＰフォーマットの時刻情報が抽出される。
【００７３】
放送伝送路復号部２１０で得られたトランスポートストリームＴＳは、デマルチプレクサ２１１に供給される。このデマルチプレクサ２１１では、ＰＣＲを含むＴＳパケットからＰＣＲが抽出される。選局時や電源投入時において、最初に受信された４２ビットのＰＣＲはカウンタ２１３ａおよびカウンタ２１３ｂからなる４２ビットの時計部（時刻情報発生部）に初期値としてセットされる、その後に受信されたＰＣＲは、比較器２１４に供給される。
【００７４】
また、電圧制御発振器４２で生成される２７ＭＨｚのクロックは９ビットカウンタ２１３ａでカウントされ、３００分周される。そして、この９ビットカウンタ２１３ａで得られる９０ＫＨｚのクロックは、３３ビットカウンタ２１３ｂでカウントされる。これら９ビットカウンタ２１３ａおよび３３ビットカウンタ２１３ｂの４２ビットのビット出力は、ＳＴＣベースの時刻情報となる。
【００７５】
このＳＴＣベースの時刻情報は、比較器２１４に供給される。比較器２１４では、例えば、デマルチプレクサ２１１からＰＣＲが供給されるタイミングで、ＳＴＣベースの時刻情報がラッチされ、ＰＣＲと比較される。この比較器２１４から出力される比較誤差信号は、電圧制御発振器２１２に制御信号として供給される。電圧制御発振器２１２、カウンタ２１３ａ，２１３ｂおよび比較器２１４はＰＬＬ（Phase Locked Loop）回路を構成し、電圧制御発振器２１２ではＰＣＲに同期した２７ＭＨｚのクロックが生成され、またカウンタ２１３ａ，２１３ｂではＰＣＲに同期したＳＴＣベースの時刻情報が生成される。
【００７６】
また、デマルチプレクサ２１１では、符号化ビデオ、符号化オーディオを含むＴＳパケットが抽出され、デコーダバッファ２１５に一時的に蓄積される。また、カウンタ２１３ｂの３３ビットのビット出力（９０ＫＨｚのカウント値）がＳＴＣベースの時刻情報として放送提示制御部２１６に供給される。
【００７７】
放送提示制御部２１６では、デコーダバッファ２１５に蓄積されている各ＰＥＳパケットのＰＴＳが確認される。そして、この放送提示制御部２１６では、ＳＴＣベースの時刻情報が参照され、デコード処理すべきＰＥＳパケットをデコーダバッファ２１５から放送ＡＶデコーダ２１７が順次取り込むことが行われる。放送ＡＶデコーダ２１７では、ＰＥＳパケットのデパケット化が行われ、さらに符号化ビデオ、符号化オーディオの復号化が行われ、ベースバンドのビデオ（ビデオデータ）、オーディオ（オーディオデータ）が得られる。
【００７８】
また、放送伝送路復号部２１０で抽出されるＵＴＣベースのＮＴＰフォーマットの時刻情報は、ＵＴＣ/ＳＴＣマッピング情報生成部２２０に供給される。このＵＴＣ/ＳＴＣマッピング情報生成部２２０には、カウンタ２１３ｂの３３ビットのビット出力（９０ＫＨｚのカウント値）がＳＴＣベースの時刻情報として供給される。このＵＴＣ/ＳＴＣマッピング情報生成部２２０では、ＮＴＰフォーマットの時刻情報と、その抽出タイミングにおけるＳＴＣベースの時刻情報のペア情報（Ｕ，Ｓ）が、マッピング情報として生成される。
【００７９】
ＵＴＣベースのＮＴＰフォーマットの時刻情報は送信側から適当な周期で送られてくるが、受信される毎に、上述のペア情報が継続して生成される。ＵＴＣ/ＳＴＣマッピング情報生成部２２０には、常に最新のペア情報と、その一つ前のペア情報が保持された状態におかれる。
【００８０】
また、通信インタフェース２３１で、配信サーバ１２０（図１参照）と通信が行われ、ＭＰＤファイルが受信されると共に、ビデオ、オーディオなどの伝送メディア（コンポーネント）を含む伝送ストリームが受信される。ＭＰＤファイルはＭＰＤ解析部２３２に供給され、このＭＰＤ解析部２３２で得られるＭＰＤ解析情報は通信提示制御部２３４に供される。また、通信インタフェース２３１で受信される伝送ストリームは、通信提示制御部２３４に供給されると共に、デコーダバッファ２３３に供給される。
【００８１】
ＭＰＥＧ−ＤＡＳＨでは、ＭＰＤファイルに伝送メディアの提示単位毎のタイミング情報が開示されていると共に、伝送メディア本体にも提示単位毎のタイミング情報が存在する。通信提示制御部２３４は、これらのタイミング情報に基づいて、伝送メディアの提示単位毎の提示時刻情報を取得する。この提示時刻情報は、ＵＴＣベースである。
【００８２】
通信提示制御部２３４は、カウンタ２１３ｂの３３ビットのビット出力（９０ＫＨｚのカウント値）であるＳＴＣベースの時刻情報と、ＵＴＣ/ＳＴＣマッピング情報生成部２２０で生成された最新の２つのペア情報（Ｕ，Ｓ）に基づいて、ＵＴＣベースの提示時刻情報をＳＴＣベースの提示時刻情報に変換（タイムライン換算）する。
【００８３】
ＵＴＣベースからＳＴＣベースへの変換についてさらに説明する。図１１（ａ）は、送信側におけるＳＴＣおよびＵＴＣのタイムライン（時間軸）を並べて示している。ＵＴＣのタイムライン上のＵn-1，ＵｎはＴＭＣＣ情報に挿入されて送信されるＵＴＣベースの時刻を示す。また、ＳＴＣのタイムライン上のＳn-1，Ｓｎは、それぞれ、ＵＴＣベースの時刻Ｕn-1，Ｕｎに対応した、ＳＴＣベースの時刻を示している。送信側におけるＳＴＣおよびＵＴＣのタイムラインの関係では、ＵＴＣベースの提示時刻ＵtarはＳＴＣベースの時刻Ｓtarに対応する。
【００８４】
図１１（ｂ）は、受信側におけるＳＴＣおよびＵＴＣのタイムライン（時間軸）を並べて示している。ＳＴＣのタイムラインは、ＵＴＣのタイムラインに比べて、ΔＴだけ遅延したものとなる。このΔＴは、ＰＣＲとＮＴＰフォーマットの時刻情報との間のトータルの伝送遅延差である。上述したように、この伝送遅延差ΔＴは、送信側における伝送遅延差ΔＴ１と受信側における伝送遅延差ΔＴ２とが加算されたものである。
【００８５】
ＵＴＣ/ＳＴＣマッピング情報生成部２２０では、ＵＴＣベースの時刻Ｕn-1に対してＳＴＣベースの時刻Ｓ´n-1がペアとされる。この時刻Ｓ´n-1は、時刻Ｓn-1よりΔＴだけ前の時刻である。また、ＵＴＣ/ＳＴＣマッピング情報生成部２２０では、ＵＴＣベースの時刻Ｕnに対してＳＴＣベースの時刻Ｓ´nがペアとされる。この時刻Ｓ´nは、時刻ＳnよりΔＴだけ前の時刻である。受信側におけるＳＴＣおよびＵＴＣのタイムラインの関係では、ＵＴＣベースの提示時刻ＵtarはＳＴＣベースの時刻Ｓ´tarに対応する。この時刻Ｓ´tarは、時刻ＳtarよりΔＴだけ前の時刻である。
【００８６】
通信提示制御部２３４では、以下の数式（１）によって、ＵＴＣベースの提示時刻ＵtarがＳＴＣベースの時刻Ｓtarに変換（ターゲットタイム換算）される。
（Star−Sn）/(Sn−Sn-1)＝(Utar−Un)/(Un−Un-1)
Star＝((Utar−Un)(Sn−Sn-1)/(Un−Un-1))＋Sn
＝((Utar−Un)(S´n−S´n-1)/(Un−Un-1))＋S´n＋ΔT1＋ΔT2
・・・（１）
【００８７】
図１０に戻って、通信提示制御部２３４では、デコーダバッファ２３３に蓄積されている各提示単位の、上述したようにＳＴＣベースに変換された提示時刻が確認される。そして、通信提示制御部２３４では、カウンタ２１３ｂからのＳＴＣベースの時刻情報が参照され、デコード処理すべきビデオ、オーディオの各提示単位を、デコーダバッファ２３３から通信ＡＶデコーダ２３５が順次取り込むことが行われる。通信ＡＶデコーダ２３５では、各提示単位の符号化ビデオ、符号化オーディオの復号化が行われ、ベースバンドのビデオ（ビデオデータ）、オーディオ（オーディオデータ）が得られる。
【００８８】
合成部２４１では、放送ＡＶデコーダ２１７で得られるビデオデータ、オーディオデータのＡＶ出力に、通信ＡＶデコーダ２３５で得られるビデオデータ、オーディオデータのＡＶ出力が合成され、最終的なＡＶ出力とされる。そして、受信機２００では、このビデオデータによる映像表示が行われ、オーディオデータによる音声出力が行われる。
【００８９】
上述したように、図１に示す放送・通信ハイブリッドシステム１０において、放送送出システム１１０では、トランスポートストリームＴＳにＳＴＣベースのＰＣＲが挿入される他に、ＴＭＣＣ情報にＵＴＣベースのＮＴＰフォーマットの時刻情報が挿入されるものである。そのため、受信側では、放送と通信の融合サービスにおける提示同期制御を良好に実現できる。
【００９０】
また、図１に示す放送・通信ハイブリッドシステム１０において、放送送出システム１１０では、ＵＴＣベースのＮＴＰフォーマットの時刻情報が、ＴＭＣＣ情報の拡張情報フィールドに挿入されるものである。そのため、ＵＴＣベースのＮＴＰフォーマットの時刻情報を伝送するための新たな帯域を必要としない。
【００９１】
また、図１に示す放送・通信ハイブリッドシステム１０において、放送送出システム１１０では、トランスポートストリームＴＳに、ＴＭＣＣ情報にＵＴＣベースのＮＴＰフォーマットの時刻情報が挿入されていることを示す識別情報が挿入されるものである。つまり、ＮＩＴに、時刻情報参照記述子が挿入されるものである。そのため、受信側では、ＴＭＣＣ情報にＵＴＣベースのＮＴＰフォーマットの時刻情報が挿入されていることを容易に識別可能となる。
【００９２】
また、図１に示す放送・通信ハイブリッドシステム１０において、放送送出システム１１０でトランスポートストリームＴＳに挿入される時刻情報参照記述子には、送信側におけるシステムレイヤのＰＣＲと物理レイヤのＮＴＰフォーマットの時刻情報との伝送遅延差ΔＴ１が記述される。そのため、受信側では、ＴＭＣＣ情報にＵＴＣベースのＮＴＰフォーマットの時刻情報が挿入されて送られてきても、この伝送遅延差ΔＴ１を用いて、ＵＴＣベースの提示時刻情報をＳＴＣベースの提示時刻情報に良好に変換可能となる。
【００９３】
＜２．変形例＞
なお、上述実施の形態では、伝送ストリームはトランスポートストリームＴＳ（ＭＰＥＧ２−ＴＳ）であり、第１の時間軸による時刻情報がＳＴＣベースのＰＣＲであり、第２の時間軸による時刻情報がＵＴＣベースのＮＴＰフォーマットの時刻情報である例を示した。詳細説明は省略するが、本技術は、同様の伝送ストリームを取り扱うその他の場合にも同様に適用できることは勿論である。
【００９４】
また、本技術は、以下のような構成を取ることもできる。
（１）伝送メディアと該伝送メディアの提示単位毎の第１の時間軸による提示時刻情報を含む伝送ストリームおよび該伝送ストリームに対応した伝送制御信号のそれぞれに対して個別に伝送路符号化処理を行った後に時分割多重と変調の処理を行って変調波を得、該変調波を送信する送信部を備え、
上記伝送ストリームには、上記第１の時間軸による時刻情報が挿入されており、
上記伝送制御信号に、上記第１の時間軸とは異なる第２の時間軸による時刻情報を挿入する時刻情報挿入部をさらに備える
送信装置。
（２）上記伝送ストリームはＭＰＥＧ２−ＴＳであり、
上記第１の時間軸による時刻情報はＳＴＣベースのＰＣＲであり、
上記第２の時間軸による時刻情報はＵＴＣベースのＮＴＰフォーマットの時刻情報である
前記（１）に記載の送信装置。
（３）上記伝送制御信号はＴＭＣＣ情報であり、
上記時刻情報挿入部は、上記ＴＭＣＣ情報に、拡張情報として、上記第２の時間軸による時刻情報を挿入する
前記（１）または（２）に記載の送信装置。
（４）上記伝送ストリームに、上記伝送制御信号に上記第２の時間軸による時刻情報が挿入されていることを示す識別情報を挿入する識別情報挿入部をさらに備える
前記（１）から（３）のいずれかに記載の送信装置。
（５）上記第２の時間軸による時刻情報がＵＴＣベースのＮＴＰフォーマットの時刻情報であるとき、上記識別情報には、上記ＮＴＰフォーマットがロングフォーマットであるかショートフォーマットであるかを示す情報が付加される
前記（４）に記載の送信装置。
（６）上記識別情報には、上記第１の時間軸による時刻情報と上記第２の時間軸による時刻情報との伝送遅延差情報が付加される
前記（４）または（５）に記載の送信装置。
（７）上記伝送ストリームはＭＰＥＧ２−ＴＳであり、
上記識別情報挿入部は、上記識別情報が記述された記述子をネットワーク・インフォメーション・テーブルに挿入する
前記（４）から（６）のいずれかに記載の送信装置。
（８）送信部により、伝送メディアと該伝送メディアの提示単位毎の第１の時間軸による提示時刻情報を含む伝送ストリームおよび該伝送ストリームに対応した伝送制御信号のそれぞれに対して個別に伝送路符号化処理を行った後に時分割多重と変調の処理を行って変調波を得、該変調波を送信する送信ステップを有し、
上記伝送ストリームには、上記第１の時間軸による時刻情報が挿入されており、
上記伝送制御信号に、上記第１の時間軸とは異なる第２の時間軸による時刻情報を挿入する時刻情報挿入ステップをさらに有する
送信方法。
（９）伝送メディアと該伝送メディアの提示単位毎の第１の時間軸による提示時刻情報を含む第１の伝送ストリームおよび該第１の伝送ストリームに対応した伝送制御信号のそれぞれに対して個別に伝送路符号化処理を行った後に時分割多重と変調の処理を行って得られた変調波を受信する第１の受信部を備え、
上記第１の伝送ストリームには上記第１の時間軸による時刻情報が挿入されており、
上記伝送制御信号には上記第１の時間軸とは異なる第２の時間軸による時刻情報が挿入されており、
上記変調波から上記第１の伝送ストリームおよび上記第２の時間軸による時刻情報を取得する取得部と、
伝送メディアと該伝送メディアの提示単位毎の上記第２の時間軸による提示時刻情報を含む第２の伝送ストリームを受信する第２の受信部と、
上記取得部で取得された上記第１の伝送ストリームに含まれる上記第１の時間軸による時刻情報に同期した時刻情報を発生する時刻情報発生部と、
上記取得部で取得された上記第１の伝送ストリームに含まれる伝送メディアの提示を、上記第１の伝送ストリームに含まれる提示時刻情報と、上記時刻情報発生部で発生される時刻情報に基づいて制御する第１の制御部と、
上記第２の受信部で受信された上記第２の伝送ストリームに含まれる伝送メディアの提示を、上記第２の伝送ストリームに含まれる提示時刻情報と、上記取得部で取得された上記第２の時間軸による時刻情報と、上記時刻情報発生部で発生される時刻情報に基づいて制御する第２の制御部をさらに備える
受信装置。
（１０）上記第２の制御部は、
上記取得部で取得された上記第２の時間軸による時刻情報と該時刻情報の受信時における上記時刻情報発生部で発生される時刻情報との対応関係と、上記第１の時間軸による時刻情報と上記第２の時間軸による時刻情報との伝送遅延差情報を用いて、上記第２の伝送ストリームに含まれる提示時刻情報を上記第１の時間軸による提示時刻情報に変換し、該変換された提示時刻情報と、上記時刻情報発生部で発生される時刻情報に基づいて、上記第２の伝送ストリームに含まれる伝送メディアの提示を制御する
前記（９）に記載の受信装置。
（１１）上記伝送遅延差情報は、送信側の伝送遅延差情報と受信側の伝送遅延差情報とからなり、
上記第１の伝送ストリームには、上記送信側の伝送遅延差情報が含まれている
前記（１０）に記載の受信装置。
（１２）上記第２の制御部は、
上記対応関係として、最新の２つの対応関係を用いる
前記（１０）または（１１）に記載の受信装置。
（１３）上記第１の時間軸はＳＴＣベースの時間軸であり、上記第２の時間軸はＵＴＣベースの時間軸である
前記（９）から（１２）のいずれかに記載の受信装置。
（１４）上記第１の伝送ストリームはＭＰＥＧ２−ＴＳであり、
上記伝送制御信号はＴＭＣＣ情報であり、
上記ＴＭＣＣ情報に、拡張情報として、上記第２の時間軸による時刻情報が挿入されている
前記（９）から（１３）のいずれかに記載の受信装置。
（１５）第１の受信部により、伝送メディアと該伝送メディアの提示単位毎の第１の時間軸による提示時刻情報を含む第１の伝送ストリームおよび該第１の伝送ストリームに対応した伝送制御信号のそれぞれに対して個別に伝送路符号化処理を行った後に時分割多重と変調の処理を行って得られた変調波を受信する第１の受信ステップを有し、
上記第１の伝送ストリームには上記第１の時間軸による時刻情報が挿入されており、
上記伝送制御信号には上記第１の時間軸とは異なる第２の時間軸による時刻情報が挿入されており、
上記変調波から上記第１の伝送ストリームおよび上記第２の時間軸による時刻情報を取得する取得ステップと、
第２の受信部により、伝送メディアと該伝送メディアの提示単位毎の上記第２の時間軸による提示時刻情報を含む第２の伝送ストリームを受信する第２の受信ステップと、
上記取得ステップで取得された上記第１の伝送ストリームに含まれる上記第１の時間軸による時刻情報に同期した時刻情報を発生する時刻情報発生ステップと、
上記取得ステップで取得された上記第１の伝送ストリームに含まれる伝送メディアの提示を、上記第１の伝送ストリームに含まれる提示時刻情報と、上記時刻情報発生ステップで発生される時刻情報に基づいて制御する第１の制御ステップと、
上記第２の受信ステップで受信された上記第２の伝送ストリームに含まれる伝送メディアの提示を、上記第２の伝送ストリームに含まれる提示時刻情報と、上記取得ステップで取得された上記第２の時間軸による時刻情報と、上記時刻情報発生ステップで発生される時刻情報に基づいて制御する第２の制御ステップをさらに有する
受信方法。
【００９５】
本技術の主な特徴は、トランスポートストリームＴＳにＳＴＣベースのＰＣＲを挿入する他に、ＴＭＣＣ情報にＵＴＣベースのＮＴＰフォーマットの時刻情報を挿入することで、受信側で放送と通信の融合サービスにおける提示同期制御を良好に実現可能としたことである（図９参照）。
【符号の説明】
【００９６】
１０・・・放送・通信ハイブリッドシステム
１１０・・・放送送出システム
１２０・・・配信サーバ
１２１・・・電圧制御発振器（２７ＭＨｚ）
１２２・・・分周器（１/１７１６）
１２３・・・比較器
１２４ａ・・・９ビットカウンタ
１２４ｂ・・・３３ビットカウンタ
１２５・・・パケット化部
１２６・・・ビデオ/オーディオエンコード処理部
１２７・・・パケット化/タイムスタンプ付加部
１２８・・・エンコーダバッファ
１２９・・・マルチプレクサ
１３１・・・時刻信号インタフェース
１３２ａ，１３２ｂ・・・３２ビットカウンタ
１３３・・・電圧制御発振器（２**２４Ｈｚ）
１３４ａ・・・２４ビットカウンタ
１３４ｂ・・・３２ビットカウンタ
１３５・・・比較器
１４１・・・伝送路符号化装置
１４１ａ・・・主信号系処理部
１４１ｂ・・・制御信号系処理部
１４１ｃ・・・時分割多重/直交変調処理部
２００・・・受信機
２０１・・・放送伝送路復号部
２１１・・・デマルチプレクサ
２１２・・・電圧制御発振器（２７ＭＨｚ）
２１３ａ・・・９ビットカウンタ
２１３ｂ・・・３３ビットカウンタ
２１４・・・比較器
２１５・・・デコーダバッファ
２１６・・・放送提示制御部
２１７・・・放送ＡＶデコーダ
２２０・・・ＵＴＣ/ＳＴＣマッピング情報生成部
２３１・・・通信インタフェース
２３２・・・ＭＰＤ解析部
２３３・・・デコーダバッファ
２３４・・・通信提示制御部
２３５・・・通信ＡＶデコーダ
２４１・・・合成部
３００・・・通信ネットワーク
【図１】
2020188497.tif 000003
【図２】
2020188497.tif 000004
【図３】
2020188497.tif 000005
【図４】
2020188497.tif 000006
【図５】
2020188497.tif 000007
【図６】
2020188497.tif 000008
【図７】
2020188497.tif 000009
【図８】
2020188497.tif 000010
【図９】
2020188497.tif 000011
【図１０】
2020188497.tif 000012
【図１１】
2020188497.tif 000013
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
送信部が、伝送メディアと第１の時間軸による時刻情報が含まれる伝送ストリームを送信する送信ステップを有し、
前記送信ステップでは、第２の時間軸による時刻情報を前記第１の時間軸による時刻情報に対応させるための情報と信号符号化処理の遅延に関する情報とを含む参照時刻情報をさらに送信する、
送信方法。
【請求項２】
前記参照時刻情報は、前記伝送ストリームに含まれるテーブルに配置される情報である、
請求項１に記載の送信方法。

【手続補正３】
【補正対象書類名】明細書
【補正対象項目名】０００１
【補正方法】変更
【補正の内容】
【０００１】
本技術は、送信方法に関する。